(57)【要約】【課題】ケーブルの延出方向による装置の設置の制約を軽減できる据置型装置を提供する。【解決手段】睡眠装置１００は、ケーブルが接続される据置型装置であって、第１側面１０ａと、第１側面に角部３６Ａを介して隣接する第２側面１０ｂとを有するマット本体１０と、ケーブルが延出される延出部を含むコネクタボックス３５と、を備え、延出部は、第１側面及び第２側面のいずれにもケーブルを延出可能に構成されている。【選択図】図１
2020028313.tif 000002
【特許請求の範囲】
【請求項１】
ケーブルが接続される据置型装置であって、
第１側面と、前記第１側面に角部を介して隣接する第２側面とを有する装置本体と、
前記装置本体に設けられた前記ケーブルが延出される延出部と、を備え、
前記角部は、前記延出部から前記第１側面及び前記第２側面のいずれにも前記ケーブルを延出可能に構成されている
据置型装置。
【請求項２】
前記角部の高さ方向の少なくとも一部に切り欠きが構成され、
前記延出部は前記切り欠き内に設けられている
請求項１に記載の据置型装置。
【請求項３】
前記装置本体は、前記第１側面及び前記第２側面を挟む上面及び下面を有し、
前記高さ方向の少なくとも一部の切り欠きは、前記上面から前記下面までの前記角部の高さ方向の全範囲のうちの前記上面及び前記下面を除く範囲の切り欠きを含む
請求項２に記載の据置型装置。
【請求項４】
前記装置本体は、前記第１側面及び前記第２側面を挟む上面及び下面を有し、
前記高さ方向の少なくとも一部の切り欠きは、前記上面から前記下面までの前記角部の高さ方向の全範囲のうちの前記上面及び前記下面のうちのいずれか一方の面を除く範囲の切り欠きを含む
請求項２に記載の据置型装置。
【請求項５】
前記延出部からの前記ケーブルの延出方向と、前記第１側面及び前記第２側面それぞれとのなす角度が概ね等しい
請求項２〜請求項４のいずれか１項に記載の据置型装置。
【請求項６】
前記角部を複数備え、
前記複数の角部のうちの第１の角部は、前記第１側面及び前記第２側面のいずれにも第１ケーブルを延出可能に構成され、
前記複数の延出部のうちの第２の角部は、前記第２側面と、前記第２側面に対して前記第２の角部を介して隣接する第３側面とのいずれにも第２ケーブルを延出可能に構成されている
請求項１〜請求項５のいずれか１項に記載の据置型装置。
【請求項７】
前記装置本体は、マット本体と、前記角部を構成し、前記マット本体に着脱自在であり前記延出部を備える着脱部材と、を有し、
前記着脱部材は前記第１コネクタを有し、
前記マット本体は、前記第１コネクタが接続される第２コネクタを有する
請求項１〜請求項６のいずれか１項に記載の据置型装置。
【請求項８】
前記マット本体及び前記着脱部材は、前記第１側面及び前記第２側面のいずれとも角度を有する接合面を有し、
複数の前記接合面のうちの一方には凹部、他方には凸部が設けられ、  前記凹部及び前記凸部が嵌合して前記マット本体及び前記着脱部材が前記接合面で接合するように構成されている
請求項７に記載の据置型装置。
【請求項９】
前記マット本体を覆い、前記延出部から延出される前記ケーブルが通過可能な通過孔を有するカバーをさらに備える
請求項７又は８に記載の据置型装置。
【請求項１０】
前記通過孔のサイズは、前記着脱部材よりも大きい
請求項９に記載の据置型装置。
【発明の詳細な説明】
【技術分野】
【０００１】
本開示は、据置型装置に関する。
【背景技術】
【０００２】
特許文献１には、マット型のマッサージ機であって、使用者の身長方向に沿って並ぶ複数の分割対を含むマット本体と、分割体それぞれに設けられたエアセルと、を有するマッサージ機が開示されている。このマッサージ機は、複数のエアセルの膨張が独立して制御されることによって、マッサージ機に横たわる使用者の身体の一部を持ち上げる動作を行う。
【先行技術文献】
【特許文献】
【０００３】
【特許文献１】特開２０１７−１４３９３９号公報
【発明の概要】
【０００４】
特許文献１に示されたようなマット型のマッサージ機は大型であるため、居室の床面などに据え置かれることが想定される。そのため、据置型装置の一例とも言える。一般的な置き方の一つとして、側面を壁面に接するような置き方が挙げられる。
【０００５】
一方、特許文献１に示されたマット型のマッサージ機はケーブル付装置でもあって、マッサージ機からは、エアを注入、排気するためのエアチューブや、リモコン等の外部装置と通信するための通信線、などのケーブルが延出されている。そのため、マッサージ機の設置の際に、延出したケーブル用のスペースを確保する必要があり、上記のように居室の床面に設置する際に、ケーブルの延出される位置や向きによっては所望する置き方ができない場合もある。
【０００６】
ある実施の形態に従うと、据置型装置は、ケーブルが接続される据置型装置であって、第１側面と、第１側面に角部を介して隣接する第２側面とを有する装置本体と、装置本体に設けられたケーブルが延出される延出部と、を備え、角部は、延出部から第１側面及び第２側面のいずれにもケーブルを延出可能に構成されている。
【図面の簡単な説明】
【０００７】
【図１】図１は、実施の形態にかかる睡眠装置の外観を示す概略斜視図である。
【図２】図２は、睡眠装置のカバーを外した状態の外観示す概略斜視図である。
【図３】図３は、睡眠装置の構成の概略を示すブロック図である。
【図４】図４Ａは、睡眠装置に含まれるコネクタボックスの構造を示した概略図であり、図４Ｂは、延出面を説明するための図である。
【図５】図５は、第３マット部からコネクタボックスを取り外した状態の構造を示した概略図である。
【図６】図６は、第３マット部とコネクタボックスとの接合部分を説明するための図である。
【図７】図７Ａは、睡眠装置に含まれる通信ボックスの構造を示した概略図であり、図７Ｂは、延出面を説明するための図である。
【図８】図８は、カバーの通過孔の第１の例を示した図である。
【図９】図９は、カバーの通過孔の第２の例を示した図である。
【図１０】図１０は、延出部の構成の他の例を示した概略図である。
【図１１】図１１は、延出部の構成のさらに他の例を示した概略図である。
【発明を実施するための形態】
【０００８】
［１．据置型装置の概要］
（１）本実施の形態に含まれる据置型装置は、ケーブルが接続される据置型装置であって、第１側面と、第１側面に角部を介して隣接する第２側面とを有する装置本体と、装置本体に設けられたケーブルが延出される延出部と、を備え、角部は、延出部から第１側面及び第２側面のいずれにもケーブルを延出可能に構成されている。
【０００９】
据置型とは、居室の内面に固定して設置されることであり、内面はたとえば床面であり、他の例として、壁面、天井面であってもよい。据置型装置は、たとえば、後述する睡眠装置である。また、他の例として、冷蔵庫、据置型調理器、洗濯機、テレビ、エアコン、照明器具、大型コンピュータ、コピー機、ファクシミリ送受信機、各種工作機器、据置型遊戯機、などである。
【００１０】
ケーブルが延出されることは、装置本体から伸びるケーブルを外部端子につなぐこと、及び、外部から伸びたケーブルを装置本体に備えられた端子につなぐこと、のどちらも含む。延出部は、装置本体とケーブルとの連結部分であって、装置本体から伸びるケーブルを外部端子につなぐ場合には装置本体に対してケーブルが接合されている部分を指し、外部から伸びたケーブルを装置本体に備えられた端子につなぐ場合には端子が設けられている部分を指す。延出部が装置本体に内蔵されていることは、延出部が、装置本体の、第１側面及び第２側面のいずれからも装置本体内方に配置されていることを指す。
【００１１】
角部が延出部から第１側面及び第２側面のいずれにもケーブルを延出可能に構成されていることにより、いずれか一方側面側が壁面に接するように装置本体を設置しても、他方側面側からケーブルを延出させることができる。そのため、ケーブルの延出方向による装置本体の設置の制約を軽減することができ、居室のレイアウトの自由度を格段に向上させることができる。なお、第１側面及び第２側面のいずれにもケーブルが延出可能な角部の構成の一例は、以下に示される。
【００１２】
（２）好ましくは、角部の高さ方向の少なくとも一部は切り欠きが構成され、延出部は切り欠き内に設けられている。切り欠きが構成されていることは、据置型装置が角部を切り欠く製法によって製造されたことを限定するものではなく、角部の高さ方向の少なくとも一部が切り欠かれた状態であることを意味している。切り欠きは、切り欠かれた内側面も指す。これにより、ケーブルは第１側面及び第２側面のいずれにも延出可能となる。
【００１３】
（３）好ましくは、装置本体は、第１側面及び第２側面を挟む上面及び下面を有し、高さ方向の少なくとも一部の切り欠きは、上面から下面までの角部の高さ方向の全範囲のうちの上面及び下面を除く範囲の切り欠きを含む。これにより、上面を含む上面部材及び下面を含む下面部材は、延出面から交差部までの範囲で第１側面及び第２側面と隣接せずに突出している。そのため、延出部は上面部材及び下面部材に挟まれた構成となる。その結果、装置本体内のケーブル及び装置本体への連結部分が保護される。
【００１４】
（４）好ましくは、装置本体は、第１側面及び第２側面を挟む上面及び下面を有し、高さ方向の少なくとも一部の切り欠きは、上面から下面までの角部の高さ方向の全範囲のうちの上面及び下面のうちのいずれか一方の面を除く範囲の切り欠きを含む。これにより、上面及び下面のうちの一方の面を含む部材は、延出面から角部までの範囲で、第１側面及び第２側面と隣接せず突出し、上面及び下面のうちの他方の面は交差部まで切り欠かれている。これにより、ケーブルを容易に延出させることができるとともに、交差部まで突出した部材によって装置本体内のケーブル及び装置本体への連結部分が保護される。
【００１５】
（５）好ましくは、延出部からのケーブルの延出方向と、第１側面及び第２側面それぞれとのなす角度が概ね等しい。角部が９０度である場合、延出面の第１側面及び第２側面それぞれとなす角度は、概ね４５度である。これにより、いずれの側面側からもケーブルを容易に延出させることができる。
【００１６】
（６）好ましくは、角部を複数備え、複数の角部のうちの第１の角部は、第１側面及び第２側面のいずれにも第１ケーブルを延出可能に構成され、複数の角部のうちの第２の角部は、第２側面と、第２側面に対して第２の角部を介して隣接する第３側面とのいずれにも第２ケーブルを延出可能に構成されている。これにより、第２側面以外のいずれの側面も壁面に接するように設置することが可能になる。そのため、これらケーブルの延出方向による装置の設置の制約を軽減することができ、居室のレイアウトの自由度を向上させることができる。なお、第１ケーブルと第２ケーブルとは異なるケーブルであってもよいし、同じケーブルであってもよい。
【００１７】
（７）好ましくは、装置本体は、マット本体と、角部を構成し、マット本体に着脱自在であり延出部を備える着脱部材と、を有し、着脱部材は第１コネクタを有し、マット本体は、第１コネクタが接続される第２コネクタを有する。これにより、マット本体と着脱部材とを別個に製造することができる。
【００１８】
（８）好ましくは、マット本体及び着脱部材は、第１側面及び第２側面のいずれとも角度を有する接合面を有し、複数の接合面のうちの一方には凹部、他方には凸部が設けられ、凹部及び凸部が嵌合してマット本体及び着脱部材が接合面で接合するように構成されている。この機構によって、マット本体に対する着脱部材の接合を確実とすることができる。
【００１９】
（９）好ましくは、マット本体を覆い、延出部から延出されるケーブルが通過可能な通過孔を有するカバーをさらに備える。通過孔が設けられることによって、マット本体にカバーを装着した状態で延出部からケーブルを延出することができる。
【００２０】
（１０）好ましくは、通過孔のサイズは、着脱部材よりも大きい。このため、カバー装着時に通過孔が着脱部材を覆わない。これにより、カバーを装着した状態でマット本体に対して着脱部材を着脱可能となる。好ましくは、カバーは、通過孔の周縁の少なくとも一部に、装置本体への装着時にマット本体と着脱部材との接合面に挟まれる挟み代を有する。これにより、マット本体への着脱部材の装着時に挟み代が挟み込まれる。これにより、着脱部材装着後にカバーのずれが効果的に防止される。
【００２１】
［２．据置型装置の例］
［第１の実施の形態］
＜睡眠装置の構成＞
本実施の形態にかかる睡眠装置１００は、据置型装置の一例である。図１は、本実施の形態にかかる睡眠装置１００の外観を示す概略斜視図である。図２は、睡眠装置１００のカバー６０を外した状態の外観示す概略斜視図である。なお、鉛直方向（上下方向）をＺ方向とし、Ｚ方向に垂直な一方向（左右方向）をＸ方向とし、Ｚ方向及びＸ方向に垂直な方向（前後方向）をＹ方向とする。各方向において＋側に向かう向きを＋向き、−側に向かう向きを−向きと称する。図を参照して、睡眠装置１００は、身体支持部であって、例えばマットレスであるマット本体１０と、マット本体１０に対して着脱可能な着脱部材である、後述のコネクタボックス３５及び通信ボックス５１と、を含む。
【００２２】
マット本体１０は、上下面が水平となり、長手方向がＹ方向と一致するように床面などに設置される。＋Ｚ向きの面を上面、その裏面（−Ｚ向きの面）を下面とする。マット本体１０は、ＸＺ平面に平行で＋Ｙ側の第１側面１０ａ（図１の右側面）、ＹＺ平面に平行で＋Ｘ側の第２側面１０ｂ（図１の前側面）、ＸＺ平面に平行で−Ｙ側の第３側面１０ｅ（図１の左側面）、及び、ＹＺ平面に平行で−Ｘ側の第４側面１０ｆ（図１の後側面）からなる４側面と、上面１０ｃと、下面１０ｄとを有する矩形形状である。第１側面１０ａと第２側面１０ｂとは交差部３６を介して隣接し、第２側面１０ｂと第３側面１０ｅとは交差部５２を介して隣接している。
【００２３】
マット本体１０は、上面１０ｃに横臥する使用者Ｐを支持する。マット本体１０は、Ｙ方向に第１マット部１１、第２マット部１２、及び、第３マット部１３の順に３つに分割されている。マット本体１０の上面に足を＋Ｙ向き、頭をその反対向き（−Ｙ向き）として使用者Ｐが横臥したときに、第１マット部１１は使用者Ｐの頭肩を支持し、第２マット部１２は胴体を支持し、第３マット部１３は足を支持することが想定されている。
【００２４】
睡眠装置１００は、マット本体１０を覆うカバー６０を含む。カバー６０は、マット本体１０の少なくとも上面１０ｃ及び側面１０ａ，ｂ，ｅ，ｆを覆う。また、カバー６０は、下面１０ｄの少なくも一部を覆う。カバー６０は、例えば、いわゆるボックス型のシーツである。
【００２５】
マット本体１０の内部には、１又は複数のエアセル３１が配置されている。エアセル３１にはエアチューブ３３が接続されて、エアセル３１内の空気の排気、又は、エアセル３１への外部空気の供給がなされる。そのため、睡眠装置１００からは、ケーブルの一例としてのエアチューブ３３が延出される。各エアセル３１は、エアチューブ３３、及び、電磁弁３４（図３参照）を介して、外部のポンプボックス３２と連結されている。また、睡眠装置１００からは、ケーブルの一例としての通信ケーブル５７が延出される。
【００２６】
第１マット部１１の交差部５２を含む範囲である角部５２Ａには、通信ケーブル５７を延出する延出部を有する通信ボックス５１が設けられている。第３マット部１３の交差部３６を含む範囲である角部３６Ａには、エアチューブ３３を延出する延出部を有するコネクタボックス３５が設けられている。
【００２７】
カバー６０の、マット本体１０に装着した際に角部３６Ａ及び角部５２Ａに対応する位置には通過孔６１，６５が形成されている。これにより、マット本体１０にカバー６０を装着した際に、コネクタボックス３５が通過孔６１から、通信ボックス５１が通過孔６５から露出する。そのため、カバー６０をマット本体１０に装着した状態でエアチューブ３３と接続されたコネクタボックス３５の着脱が可能になる。また、カバー６０をマット本体１０に装着した状態で通信ケーブル５７と接続された通信ボックス５１の着脱が可能になる。
【００２８】
コネクタボックス３５は、ポンプボックス３２から伸びるエアチューブ３３を接続するための延出部３７ａ（図４Ａ）を有し、延出部３７ａを介してポンプボックス３２から伸びるエアチューブ３３をマット本体１０内部のエアチューブ３３と連結する。ポンプボックス３２には図示しないポンプが内蔵されている。ポンプボックス３２からコネクタボックス３５へは、エアチューブ３３に加えて、電磁弁３４や制御ユニット４０に電力供給するための配電線も接続されている。
【００２９】
図３は、睡眠装置１００の装置構成の一例を表した概略ブロック図である。図を参照して、制御ユニット４０は、図示しないＣＰＵ（Central Processing Unit）及びメモリ２０を含み、睡眠装置１００全体を制御する。メモリ２０には、ＣＰＵで実行されるプログラムが記憶されているとともに、ストレッチコースなどの、制御プログラムで必要なデータが格納されている。
【００３０】
制御ユニット４０は、ポンプボックス３２に内蔵されたポンプの駆動及び電磁弁３４の開閉を制御する制御部４３を有する。制御部４３が電磁弁３４を開放し、かつ、ポンプを駆動させることで、複数のエアセル３１のうちの開放した電磁弁３４に接続されているエアセル３１が膨張し、マット本体１０のエアセル３１に重なる部分が押し上げられる。これにより、マット本体１０の上面１０ｃに横臥していた使用者Ｐの、上記部分に接していた身体の一部が持ち上がる。制御部４３がポンプを駆動し続けることでエアセル３１の最大の膨張状態を維持することができる。また、制御部４３がその後にポンプの駆動を停止し、かつ、電磁弁３４を閉鎖することによって上記エアセル３１の膨張状態が維持され、その結果、使用者Ｐの身体の一部が持ち上げられた状態が維持される。
【００３１】
制御部４３が、ポンプの駆動を停止した状態で電磁弁３４を開放することで、複数のエアセル３１のうちの開放した電磁弁３４に接続されているエアセル３１内の空気が排気され、膨張が収縮する。これにより、マット本体１０のこのエアセル３１に重なる部分であって、押し上げられていた部分が元の位置に戻る。その結果、使用者Ｐの持ち上げられた身体の一部が元の位置に戻る。
【００３２】
制御ユニット４０は、スマートフォン５６との間でデータの送受信を可能とする送受信部４４を有する。送受信部４４は、一例として、スマートフォン５６と無線通信を行う。送受信部４４とスマートフォン５６との通信は有線による通信であってもよい。スマートフォン５６は、使用者Ｐによる制御ユニット４０に対する入力操作を受け付ける装置の一例であって、他の例として、リモコン５０などであってもよい。リモコン５０との通信は、スマートフォン５６との通信と同様に、無線通信であってもよいし有線による通信であってもよい。
【００３３】
送受信部４４が有線による通信の場合、一例として、第１マット部１１のＹ方向の端部には、通信ボックス５１が設けられている。通信ボックス５１は、リモコン５０などの外部装置との間で、ケーブルの一例である通信ケーブル５７を接続するための延出部５４ａ（図７）を有して、延出部５４ａを介して制御ユニット４０との通信を中継する。
【００３４】
＜コネクタボックスの構造＞
図４Ａは、コネクタボックス３５の構造を示した概略図である。コネクタボックス３５は、第３マット部１３のＹ方向の端部であって、マット本体１０の角部３６Ａに配置された、三角柱形状のボックスであり、図４Ａは上方から見下ろした（−Ｚ向きに見た）図である。
【００３５】
図を参照して、コネクタボックス３５は、交差部３６を介して隣接する、ＸＺ平面と平行な第１側面３５ａ、及び、ＹＺ平面と平行な第２側面３５ｂを有する。第１側面３５ａ及び第２側面３５ｂは、それぞれ、交差部３６を介して隣接する、第３マット部１３のＸＺ平面と平行な第１側面１３ａ、及び、ＹＺ平面と平行な第２側面１３ｂと連続している。したがって、第１側面３５ａ及び第１側面１３ａがマット本体１０のＸＺ平面と平行な第１側面１０ａに含まれ、第２側面３５ｂ及び第２側面１３ｂがマット本体１０のＹＺ平面と平行な第２側面１０ｂに含まれている。なお、コネクタボックス３５は、第３マット部１３と一体であってもよい。
【００３６】
コネクタボックス３５は、さらに、第１側面３５ａ及び第２側面３５ｂを挟む、第３マット部１３の上下面１３ｃ，１３ｄと平行な＋Ｚ側の面（図の上面）３５ｃ、及び、第３マット部１３の上下面１３ｃ，１３ｄと平行な−Ｚ側の面（図の下面）３５ｄを有する。上面３５ｃは、第３マット部１３のＸＹ平面と平行な上面１３ｃと連続している。
【００３７】
第３マット部１３は、角部３６Ａにコネクタボックス３５を接合するための受け板１３ｅを有する。受け板１３ｅの下面１３ｆは第３マット部１３の下面１３ｄと連続している。受け板１３ｅの上面１３ｇは、第３マット部１３に接続されたコネクタボックス３５の下面３５ｄと接する。したがって、上面３５ｃ及び上面１３ｃがマット本体１０のＸＹ平面と平行な上面１０ｃに含まれ、受け板１３ｅの下面１３ｆ及び下面１３ｄが下面１０ｄに含まれている。
【００３８】
交差部３６の高さ方向（Ｚ方向）の一部であって上面３５ｃから所定の厚みの部分３５ｅ（後述の庇部３５ｅ）、及び、受け板１３ｅを除く範囲は、切り欠きを構成している。つまり、交差部３６の高さ方向の、上面３５ｃから所定の厚みの部分３５ｅ及び受け板１３ｅを除く範囲が面３７Ａによって切り欠かれている。面３７Ａは、一例として、平面３７Ａである。面３７Ａは曲面であってもよい。従って、交差部３６は、上面３５ｃ側の上方交差部３６ａと、受け板１３ｅ側の下方交差部３６ｂとからなる。平面３７Ａは延出面３７を含む面である。言い換えると、受け板１３ｅは、延出面３７から下方交差部３６ｂまでの範囲で、第１側面３５ａ及び第２側面３５ｂと隣接せず突出している。また、上面３５ｃから所定の厚みの部分３５ｅは、庇部３５ｅを構成している。庇部３５ｅは、延出面３７から上方交差部３６ａまでの範囲で第１側面３５ａ及び第２側面３５ｂと隣接せず突出している。受け板１３ｅと庇部３５ｅとは、延出面３７を挟んで対向している。
【００３９】
図４Ｂは、延出面３７を説明するための図であって、マット本体１０を上方から見下ろした（−Ｚ向きに見た）概略図である。図を参照して、交差部３６は、第１側面３５ａに対して角度θ１、第２側面３５ｂに対して角度θ２を有する平面３７Ａによって切り欠かれている。平面３７Ａの第１側面３５ａ及び第２側面３５ｂで挟まれる範囲が延出面３７を構成する。言い換えると、延出面３７は、交差部３６より、矩形のマット本体１０の交差部３６の対角に向かう方向に位置している。第１側面３５ａには平面３７Ａに切り欠かれた第１開口３８ａが形成され、第２側面３５ｂには平面３７Ａに切り欠かれた第２開口３８ｂが形成され、それらは交差部３６を挟んで連続した１つの開口３８をなす。
【００４０】
なお、交差部３６の高さ方向の少なくとも一部が切り欠かれていることは、切り欠く製法によって延出面３７が製造されていることを意味するものではなく、延出面３７が切り欠かれた形状であることを意味している。切り欠かれた面、つまり、延出面３７を切り欠きとも称する。
【００４１】
切り欠き内、つまり、延出面３７には、図示しないエアチューブ３３の延出部３７ａが配置されている。延出部３７ａは、たとえば、コネクタボックス３５内から延びるエアチューブ３３が通過する開口であり、延出部３７ａからコネクタボックス３５の外部に向けてエアチューブ３３が延出する。第１開口３８ａと第２開口３８ｂとは、いずれも、延出部３７ａから延出されるエアチューブ３３が通過可能である。
【００４２】
好ましくは、角度θ１，θ２は０〜９０度である。これにより、延出面３７は、各側面３５ａ，３５ｂに対しての角度をなす。好ましくは、角度θ１，θ２は４５度、又は、概ね４５度の角度である。これは、延出部３７ａからのエアチューブ３３の延出方向が第１側面３５ａ及び第２側面３５ｂに対してなす角度が０〜９０度、好ましくは４５度であることに相当する。これにより、側面３５ａ，３５ｂのいずれからエアチューブ３３を接続する場合でもエアチューブ３３の曲率を大きくすることができ、エアチューブ３３への負担を抑えることができる。
【００４３】
好ましくは、延出面３７は第１開口３８ａの周縁３９ａにおいて第１側面３５ａと連続し、かつ、第２開口３８ｂの周縁３９ｂにおいて第２側面３５ｂと連続している。つまり、延出面３７は、両周縁３９ａ，３９ｂに段差がなく連続している。好ましくは、延出面３７は、両側面３５ａ，３５ｂと一体成型されている。これにより、側面３５ａ，３５ｂのいずれ側からもエアチューブ３３を容易に接続することができるとともに、成形が容易になる。
【００４４】
コネクタボックス３５は、図２に示されたようにマット本体１０に対して着脱可能な着脱部材である。コネクタボックス３５をマット本体１０に対して着脱可能とすることで、コネクタボックス３５とマット本体１０とをそれぞれ別個に製造することができる。
【００４５】
図５は、第３マット部１３からコネクタボックス３５を取り外した状態の構造を示した概略図である。図を参照して、コネクタボックス３５は、上方交差部３６ａ及び開口３８Ａを備える。コネクタボックス３５の第３マット部１３との接合面４１には凸部４２が形成され、凸部４２の第３マット部１３側の面には第１コネクタ４５が設けられる。
【００４６】
第３マット部１３のコネクタボックス３５との接合面１７には凸部４２に対応した凹部１８が形成され、凹部１８のコネクタボックス３５側の面には、第１コネクタ４５と接合可能な第２コネクタ１９が設けられる。好ましくは、エアチューブ３３は電力供給用のケーブルを含み、第１コネクタ４５及び第２コネクタ１９それぞれ、エアチューブ３３用のコネクタと電力供給用のケーブル用のコネクタとを含む。
【００４７】
図６は、第３マット部１３とコネクタボックス３５との接合部分を説明するための図である。図において、説明のために第３マット部１３は高さ方向の概ね中央付近の水平面での断面が示されている。コネクタボックス３５は、上方から見た図が示されている。
【００４８】
図を参照して、第３マット部１３の凹部１８には、両側部に突起１８ａが設けられている。突起１８ａはばね構造を有して、押し付けられると第３マット部１３内に格納され、押す力が除かれるとばねによって凹部１８側面から突出した状態に復帰する。コネクタボックス３５の両側面の、第３マット部１３と結合した際に突起１８ａに対応する位置に窪み４２ａが設けられている。
【００４９】
コネクタボックス３５は、受け板１３ｅの上面１３ｇに下面３５ｄが接した状態で凸部４２を第３マット部１３の凹部１８に挿入すると、凹部１８の両側面に凸部４２の両側面が接する。そのまま、両側面を接した状態で凸部４２を凹部１８に、これらが嵌合するまで挿入することで、第１コネクタ４５と第２コネクタ１９とが結合されるようにガイドされる。
【００５０】
第１コネクタ４５と第２コネクタ１９とが結合される位置で突起１８ａが窪み４２ａに嵌合し、ばねによって突起１８ａが窪み４２ａに嵌合した状態が維持される。これにより、第３マット部１３とコネクタボックス３５との接合を確実とすることができる。
【００５１】
＜通信ボックスの構造＞
図７Ａは、通信ボックス５１の構造を示した概略図である。通信ボックス５１は、第１マット部１１のＹ方向の端部であって、マット本体１０の角部５２Ａに配置された三角柱形状のボックスであり、図７Ａは上方から見下ろした（−Ｚ向きに見た）図である。
【００５２】
図を参照して、通信ボックス５１は、交差部５２を介して隣接する、ＹＺ平面と平行な第１側面５１ａ、及び、ＸＺ平面と平行な第２側面５１ｂを有する。第１側面５１ａ及び第２側面５１ｂは、それぞれ、交差部５２第１マット部１１のＹＺ平面と平行な第１側面１１ａ、及び、ＸＺ平面と平行な第２側面１１ｂと連続している。したがって、第１側面５１ａ及び第１側面１１ａがマット本体１０のＹＺ平面と平行な第２側面１０ｂに含まれ、第２側面５１ｂ及び第２側面１１ｂがマット本体１０のＸＺ平面と平行な第３側面１０ｅに含まれている。なお、通信ボックス５１は、第１マット部１１と一体であってもよい。
【００５３】
通信ボックス５１は、さらに、第１側面５１ａ及び第２側面５１ｂを挟む、第１マット部１１の上面１１ｃと連続する上面５１ｃ、及び、第１マット部１１の下面１１ｄと連続する下面５１ｄを有する。したがって、上面５１ｃ及び上面１１ｃがマット本体１０のＸＹ平面と平行な上面１０ｃに含まれ、下面５１ｄ及び下面１１ｄが下面１０ｄに含まれている。
【００５４】
交差部５２の高さ方向（Ｚ方向）の一部であって上面５１ｃから所定の厚みの部分５１ｅを除く範囲は切り欠きを構成している。つまり、交差部５２の高さ方向の上面５１ｃから所定の厚みの部分５１ｅを除く範囲が面５４Ａで切り欠かれている。面５４Ａは、一例として、平面５４Ａである。面５４Ａは曲面であってもよい。平面５４Ａは延出面５４を含む面である。言い換えると、上面５１ｃから所定の厚みの部分５１ｅは、庇部５１ｅを構成している。庇部５１ｅは、延出面５４から交差部５２までの範囲で第１側面５１ａ及び第２側面５１ｂと隣接せず突出している。
【００５５】
図７Ｂは、延出面５４を説明するための図であって、マット本体１０を上方から見下ろした（−Ｚ向きに見た）概略図である。図を参照して、交差部５２は、第１側面５１ａに対して角度θ１、第２側面５１ｂに対して角度θ２を有する平面５４Ａによって切り欠かれている。平面５４Ａの第１側面５１ａ及び第２側面５１ｂで挟まれる範囲が延出面５４を構成する。言い換えると、延出面５４は、交差部５２より、矩形のマット本体１０の交差部５２の対角に向かう方向に位置している。第１側面５１ａには平面５４Ａに切り欠かれた第１開口５３ａが形成され、第２側面５１ｂには平面５４Ａに切り欠かれた第２開口５３ｂが形成され、それらは交差部５２を挟んで連続した１つの開口５３をなす。
【００５６】
なお、交差部５２の高さ方向の少なくとも一部が切り欠かれていることは、切り欠く製法によって延出面５４が製造されていることを意味するものではなく、延出面５４が切り欠かれた形状であることを意味している。切り欠かれた面、つまり、延出面５４を切り欠きとも称する。
【００５７】
切り欠き内、つまり、延出面５４には、通信ケーブル５７の延出部５４ａが配置されている。延出部５４ａは、たとえば、通信ケーブル５７の端子５７ａを着脱可能なコネクタである。第１開口５３ａと第２開口５３ｂとは、いずれも、延出部５４ａから延出される通信ケーブル５７が通過可能である。
【００５８】
好ましくは、角度θ１，θ２は０〜９０度である。これにより、延出面５４は、各側面５１ａ，５１ｂに対して角度をなす。好ましくは、角度θ１，θ２は４５度、又は、概ね４５度の角度である。これは、延出部５４ａからの通信ケーブル５７の延出方向が第１側面５１ａ及び第２側面５１ｂに対してなす角度が０〜９０度、好ましくは４５度であることに相当する。これにより、側面５１ａ，５１ｂのいずれから通信ケーブル５７を接続する場合でも通信ケーブル５７の曲率を大きくすることができ、通信ケーブル５７への負担を抑えることができる。
【００５９】
好ましくは、延出面５４は、第１開口５３ａの周縁５５ａにおいて第１側面５１ａと連続し、かつ、第２開口５３ｂの周縁５５ｂにおいて第２側面５１ｂと連続している。つまり、延出面５４は、両周縁５５ａ，５５ｂに段差がなく連続している。好ましくは、延出面５４は、両側面５１ａ，５１ｂと一体成型されている。これにより、側面５１ａ，５１ｂのいずれ側からも通信ケーブル５７を容易に接続することができるとともに、成形が容易になる。
【００６０】
＜コネクタボックスと通信ボックスとの関係＞
マット本体１０にコネクタボックス３５と通信ボックス５１とである２つのボックスが設けられる場合、それらは、マット本体１０の同一の側面の両側方に隣接する２側面との間の２つの角部それぞれの付近に配置される。すなわち、図１を参照して、コネクタボックス３５は、第２側面１０ｂの＋Ｙ側に隣接する第１側面１０ａとの間の角部３６Ａに配置され、通信ボックス５１は、−Ｙ側に隣接する第３側面１０ｅとの間のＡに配置される。なお、この例ではそれぞれ異なる２本のケーブルを延出する２つの延出部が同一のマット本体１０に設けられるとしているが、同じケーブルを延出する２つの延出部が同一のマット本体１０に設けられていてもよい。
【００６１】
＜カバーの構造＞
図８は、カバー６０の通過孔６１の第１の例を示した図であって、カバー６０が装着され、コネクタボックス３５を取り外した角部３６Ａの概略図である。図を参照して、通過孔６１は、カバー６０をマット本体１０に装着した状態で、第３マット部１３のコネクタボックス３５との接合面１７の周縁部１７ａに周縁部６１ａが重ならない範囲にカバー６０に設けられた開口である。つまり、通過孔６１のサイズはコネクタボックス３５よりも大きい。そのため、延出部３７ａから延出したエアチューブ３３が通過可能である。これにより、コネクタボックス３５の装着時にカバー６０を挟み込むことがなく、コネクタボックス３５の第３マット部１３への着脱が容易になる。
【００６２】
図９は、カバー６０の通過孔６１の第２の例を示した図である。図を参照して、第２の例においては、通過孔６１に、カバー６０をマット本体１０に装着した状態で第３マット部１３の接合面１７の周縁部１７ａから内側に突出した挟み代６２が設けられている。挟み代６２は、接合面１７の周縁部１７ａから凹部１８の周縁部１８ｂまでの間に存在する。好ましくは、挟み代６２は、接合面１７の両側方から周縁部１７ａより内側（左側、及び、右側）に突出した側方挟み代６２ａ，６２ｂと、上方から周縁部１７ａより内側（下側）に突出した上方挟み代６２ｃと、を有する。これにより、コネクタボックス３５の装着時に挟み代６２が第３マット部１３とコネクタボックス３５との間に挟み込まれる。これにより、コネクタボックス３５装着後にカバー６０のずれが効果的に防止される。
【００６３】
なお、通信ボックス５１が着脱部材である場合、交差部５２に相当する位置に設けられたカバー６０の通過孔６５（図１参照）も、図８及び図９に示された構成と同様とする。
【００６４】
なお、カバー６０はいわゆるボックス型に限定されず、袋状でマット本体１０を内包する形状であってもよい。この場合、カバー６０の側面には全周にわたってスライドファスナーが設けられる。これにより、カバー６０のマット本体１０への装着が容易になる。
【００６５】
マット本体１０の第２側面１０ｂの両端部にはコネクタボックス３５と通信ボックス５１とがそれぞれ設けられているため、好ましくは、全周にわたるスライドファスナーは、カバー６０の第２側面１０ｂと、第１側面１０ａ、第３側面１０ｅ、及び第４側面１０ｆと、に分割される。これにより、コネクタボックス３５及び通信ボックス５１それぞれにケーブルが接続された状態であっても、カバー６０のマット本体１０への装着が容易になる。
【００６６】
＜実施の形態の効果＞
据置型装置の一例である本実施の形態にかかる睡眠装置１００は、交差部を挟む第１側面と第２側面とのいずれに対しても延出部からケーブルが延出可能に構成された角部を有する。具体的には、マット本体１０の角部の高さ方向の少なくとも一部が、第１側面及び第２側面の両方に対して角度を有する平面によって切り欠かれ、角部を切り欠いた平面の第１側面と第２側面とに挟まれた範囲の、マット本体１０の外周側の面が延出面を構成し、延出部は延出面に設けられている。これにより、延出部を延出部３７ａの１つだけ有する場合であっても、第１側面と第２側面とのいずれに対してもケーブルが延出可能になる。
【００６７】
コネクタボックス３５の場合、図４を参照して、第１側面３５ａからは第１開口３８ａにエアチューブ３３を挿通することで、第２側面３５ｂからは第２開口３８ｂにエアチューブ３３を挿通することで、開口である延出部３７ａにエアチューブ３３を挿通することができる。また、通信ボックス５１の場合、図７を参照して、第１側面５１ａからは第１開口５３ａに通信ケーブル５７を挿通することで、第２側面５１ｂからは第２開口５３ｂに通信ケーブル５７を挿通することで、コネクタである延出部５４ａに通信ケーブル５７の端子５７ａを接続することができる。
【００６８】
いずれの側面側からもケーブルを延出可能となることによって、いずれか一方側面側が壁面に接するようにマット本体１０を設置しても、他方側面側からケーブルが延出可能である。そのため、ケーブルの延出方向によるマット本体１０の設置の制約を軽減することができ、居室のレイアウトの自由度を格段に向上させることができる。
【００６９】
延出面３７が、延出面３７を含む平面が両側面３５ａ，３５ｂそれぞれを含む２平面のいずれにも交わる角度に配置されていることによって、側面３５ａ，３５ｂのいずれ側にエアチューブ３３を挿通した場合であっても、延出部３７ａから延出するエアチューブ３３の曲率を大きくすることができる。そのため、エアチューブ３３への負担を抑えることができる。これは通信ボックス５１も同様である。特に、エアチューブ３３は硬度があり、また、内圧が高い場合があるため、曲率が小さくなると接続しにくくなる。さらに、エアチューブ３３内に電力線が含まれる場合にはエアチューブ３３のサイズが大きくなるため、曲率が小さくなると接続しにくくなる。そのため、ケーブルがエアチューブ３３である場合、より効果的である。
【００７０】
図４に示されたように、庇部３５ｅ及び受け板１３ｅが、交差部３６に向けて突出するように形成されることによって、突出した庇部３５ｅ及び受け板１３ｅの間に延出部３７ａが挟まれる。これにより、コネクタボックス３５内のエアチューブ３３及び延出部３７ａへの連結部分が保護される。なお、図７に示されたように、庇部５１ｅのみが交差部５２に向けて突出するように形成され、下面１１ｄまで切り欠かれていてもよい。これにより、開口が形成された下面１１ｄ側からも通信ケーブル５７を容易に延出させることができる。なお、この場合、好ましくは、上面５１ｃ及び下面５１ｄのうち、上面５１ｃ側の庇部５１ｅを突出した形状とする。これにより、マット本体１０の上面１０ｃに使用者Ｐが横臥して上方から加重された場合にも、延出部５４ａへの直接の加重を防ぐことができる。それにより、延出部５４ａから延出された通信ケーブル５７へのダメージを抑えることができる。
【００７１】
なお、２本のケーブルそれぞれを延出する２つの延出部３７ａ，５４ａが同一のマット本体１０に設けられる場合、延出部３７ａ，５４ａを同一の側面１０ｂの両側方に隣接する２側面との間の２つの角部３６Ａ，５２Ａそれぞれの付近に形成することによって、側面１０ｂ辺以外の側面１０ａ，１０ｅ，１０ｆのいずれも壁面に接するように設置することが可能になる。そのため、２つの延出部３７ａ，５４ａが設けられる場合であってもケーブルの延出方向によるマット本体１０の設置の制約を軽減することができ、居室のレイアウトの自由度を向上させることができる。
【００７２】
［第２の実施の形態］
第１の実施の形態では、マット本体１０に外部から伸びるケーブルを接続するものとしている。たとえば、リモコン５０から伸びる通信ケーブル５７を通信ボックス５１に内蔵された延出部５４ａに接続すること、などが想定されている。実施の形態にかかる据置型装置は、一例として、外部から伸びたケーブルが接続可能な装置である。
【００７３】
他の形態として、マット本体１０から延出したケーブルを外部端子に接続する形態であってもよい。たとえば、コネクタボックス３５に内蔵された延出部３７ａからエアチューブ３３が延出され、延出されたエアチューブ３３の逆側端部に設けられたジャックをポンプボックス３２に接続する形態であってもよい。すなわち、本体からケーブルが延出し、そのケーブルを外部に接続する装置も含む。したがって、装置から延出したケーブルは、本体から伸びるケーブル、及び、外部から本体に接続されたケーブルを含む。
【００７４】
［第３の実施の形態］
第１及び第２の実施の形態は据置型装置の一例が睡眠装置１００であるものとしている。しかしながら、据置型装置は睡眠装置１００に限定されない。また、据置は床面への設置に限定されるものではなく、壁面、天井面など、いずれかの内面に固定した設置を指す。据置型装置は、他の例として、冷蔵庫、据置型調理器（ガス又は電気コンロ、オーブン、電子レンジ等）、洗濯機、テレビ、エアコン、照明器具、大型コンピュータ、コピー機、ファクシミリ送受信機、各種工作機器、据置型遊戯機、などが挙げられる。
【００７５】
据置型装置が上のような装置であっても、ケーブルの延出部が角部付近に内蔵され、かつ、両側面の角部付近に開口が形成されていることによって、延出部にいずれの側面側からも接続可能になる。これにより、ケーブルの延出方向による装置の設置の制約を軽減することができ、レイアウトの自由度を格段に向上させることができる。
【００７６】
［第４の実施の形態］
角部を挟む第１側面及び第２側面のいずれにもケーブルを延出可能な延出部の構成は、第１の実施の形態に示された、角部の高さ方向の少なくとも一部を第１側面及び第２側面の両方に対して角度を有する平面によって切り欠いた構成にのみ限定されるものではない。第１側面及び第２側面のいずれにもケーブルを延出可能であれば他の構成であってもよい。
【００７７】
図１０は、延出部の構成の他の例を示した概略図である。図１０は、第４の実施の形態にかかる通信ボックス５１Ａの概略を示している。図１０を参照して、通信ボックス５１Ａは、第１マット部１１に設けられた内空１１Ｈ内に、Ｚ軸に平行な軸７１を中心としてＡ方向に回転可能に円筒形状の回転体である。円筒形状の、内空１１Ｈより外側に位置している外周面７２に延出部５４ａが設けられている。延出部５４ａは、例えば、通信ケーブル５７の端子５７ａを着脱可能なコネクタである。これにより、延出部５４ａは、通信ボックス５１ＡのＡ方向の回転に伴って第１側面１１ａ側にも第２側面１１ｂ側にも向く。その結果、第１側面１１ａ及び第２側面１１ｂのいずれにも通信ケーブル５７を延出可能となる。
【００７８】
なお、延出部の構成のさらに他の例として、図１１に概略が示された構成であってもよい。図１１は、第４の実施の形態にかかるコネクタボックス３５Ａの概略を示している。図１１を参照して、コネクタボックス３５Ａは、第１側面３５ａ及び第２側面３５ｂそれぞれに延出部３７ａ,３７ｂが配置されている。コネクタボックス３５Ａに設けられた延出部３７ａ,３７ｂは、例えば、エアチューブ３３の端子３３ａを着脱可能なコネクタである。
【００７９】
コネクタボックス３５Ａの第１側面３５ａに延出部３７ａ、及び、第２側面３５ｂに延出部３７ｂが配置されていることによって、第１側面３５ａ及び第２側面３５ｂのいずれにもエアチューブ３３の端子３３ａを着脱可能である。そのため、容易な構成で、ケーブルをいずれの側面側にも延出可能とすることができる。
【００８０】
本発明は、上記の実施の形態に限定されるものではなく、様々な変形が可能である。
【符号の説明】
【００８１】
１０    ：マット本体
１０ａ  ：第１側面
１０ｂ  ：第２側面
１０ｃ  ：上面
１０ｄ  ：下面
１０ｅ  ：第３側面
１０ｆ  ：第４側面
１１    ：第１マット部
１１Ｈ  ：内空
１１ａ  ：第１側面
１１ｂ  ：第２側面
１１ｃ  ：上面
１１ｄ  ：下面
１２    ：第２マット部
１３    ：第３マット部
１３ａ  ：第１側面
１３ｂ  ：第２側面
１３ｃ  ：上面
１３ｄ  ：下面
１３ｅ  ：受け板
１３ｆ  ：下面
１３ｇ  ：上面
１７    ：接合面
１７ａ  ：周縁部
１８    ：凹部
１８ａ  ：突起
１８ｂ  ：周縁部
１９    ：第２コネクタ
２０    ：メモリ
３１    ：エアセル
３２    ：ポンプボックス
３３    ：エアチューブ
３３ａ  ：端子
３４    ：電磁弁
３５    ：コネクタボックス
３５Ａ  ：コネクタボックス
３５ａ  ：第１側面
３５ｂ  ：第２側面
３５ｃ  ：上面
３５ｄ  ：下面
３５ｅ  ：庇部
３６    ：交差部
３６Ａ  ：角部
３６ａ  ：上方交差部
３６ｂ  ：下方交差部
３７    ：延出面
３７Ａ  ：平面
３７ａ  ：延出部
３７ｂ  ：延出部
３８    ：開口
３８Ａ  ：開口
３８ａ  ：第１開口
３８ｂ  ：第２開口
３９ａ  ：周縁
３９ｂ  ：周縁
４０    ：制御ユニット
４１    ：接合面
４２    ：凸部
４２ａ  ：窪み
４３    ：制御部
４４    ：送受信部
４５    ：第１コネクタ
５０    ：リモコン
５１    ：通信ボックス
５１Ａ  ：通信ボックス
５１ａ  ：第１側面
５１ｂ  ：第２側面
５１ｃ  ：上面
５１ｄ  ：下面
５１ｅ  ：庇部
５２    ：交差部
５２Ａ  ：角部
５３    ：開口
５３ａ  ：第１開口
５３ｂ  ：第２開口
５４    ：延出面
５４Ａ  ：平面
５４ａ  ：延出部
５５ａ  ：周縁
５５ｂ  ：周縁
５６    ：スマートフォン
５７    ：通信ケーブル
５７ａ  ：端子
６０    ：カバー
６１    ：通過孔
６１ａ  ：周縁部
６２    ：挟み代
６２ａ  ：側方挟み代
６２ｂ  ：側方挟み代
６２ｃ  ：上方挟み代
６５    ：通過孔
７１    ：軸
７２    ：外周面
１００  ：睡眠装置
Ｐ      ：使用者
θ１    ：角度
θ２    ：角度
【図１】
2020028313.tif 000003
【図２】
2020028313.tif 000004
【図３】
2020028313.tif 000005
【図４】
2020028313.tif 000006
【図５】
2020028313.tif 000007
【図６】
2020028313.tif 000008
【図７】
2020028313.tif 000009
【図８】
2020028313.tif 000010
【図９】
2020028313.tif 000011
【図１０】
2020028313.tif 000012
【図１１】
2020028313.tif 000013
【手続補正書】
【提出日】令和1年9月19日(2019.9.19)
【手続補正１】
【補正対象書類名】明細書
【補正対象項目名】００６０
【補正方法】変更
【補正の内容】
【００６０】
＜コネクタボックスと通信ボックスとの関係＞
マット本体１０にコネクタボックス３５と通信ボックス５１とである２つのボックスが設けられる場合、それらは、マット本体１０の同一の側面の両側方に隣接する２側面との間の２つの角部それぞれの付近に配置される。すなわち、図１を参照して、コネクタボックス３５は、第２側面１０ｂの＋Ｙ側に隣接する第１側面１０ａとの間の角部３６Ａに配置され、通信ボックス５１は、−Ｙ側に隣接する第３側面１０ｅとの間の角部５２Ａに配置される。なお、この例ではそれぞれ異なる２本のケーブルを延出する２つの延出部が同一のマット本体１０に設けられるとしているが、同じケーブルを延出する２つの延出部が同一のマット本体１０に設けられていてもよい。
【手続補正２】
【補正対象書類名】特許請求の範囲
【補正対象項目名】全文
【補正方法】変更
【補正の内容】
【特許請求の範囲】
【請求項１】
ケーブルが接続される据置型装置であって、
第１側面と、前記第１側面に角部を介して隣接する第２側面とを有する装置本体と、
前記装置本体に設けられた前記ケーブルが延出される延出部と、を備え、
前記角部は、前記延出部から前記第１側面及び前記第２側面のいずれにも前記ケーブルを延出可能に構成されている
据置型装置。
【請求項２】
前記角部の高さ方向の少なくとも一部に切り欠きが構成され、
前記延出部は前記切り欠き内に設けられている
請求項１に記載の据置型装置。
【請求項３】
前記装置本体は、前記第１側面及び前記第２側面を挟む上面及び下面を有し、
前記高さ方向の少なくとも一部の切り欠きは、前記上面から前記下面までの前記角部の高さ方向の全範囲のうちの前記上面及び前記下面を除く範囲の切り欠きを含む
請求項２に記載の据置型装置。
【請求項４】
前記装置本体は、前記第１側面及び前記第２側面を挟む上面及び下面を有し、
前記高さ方向の少なくとも一部の切り欠きは、前記上面から前記下面までの前記角部の高さ方向の全範囲のうちの前記上面及び前記下面のうちのいずれか一方の面を除く範囲の切り欠きを含む
請求項２に記載の据置型装置。
【請求項５】
前記延出部からの前記ケーブルの延出方向と、前記第１側面及び前記第２側面それぞれとのなす角度が概ね等しい
請求項２〜請求項４のいずれか１項に記載の据置型装置。
【請求項６】
前記角部を複数備え、
前記複数の角部のうちの第１の角部は、前記第１側面及び前記第２側面のいずれにも第１ケーブルを延出可能に構成され、
前記複数の角部のうちの第２の角部は、前記第２側面と、前記第２側面に対して前記第２の角部を介して隣接する第３側面とのいずれにも第２ケーブルを延出可能に構成されている
請求項１〜請求項５のいずれか１項に記載の据置型装置。
【請求項７】
前記装置本体は、マット本体と、前記角部を構成し、前記マット本体に着脱自在であり前記延出部を備える着脱部材と、を有し、
前記着脱部材は前記第１コネクタを有し、
前記マット本体は、前記第１コネクタが接続される第２コネクタを有する
請求項１〜請求項６のいずれか１項に記載の据置型装置。
【請求項８】
前記マット本体及び前記着脱部材は、前記第１側面及び前記第２側面のいずれとも角度を有する接合面を有し、
複数の前記接合面のうちの一方には凹部、他方には凸部が設けられ、  前記凹部及び前記凸部が嵌合して前記マット本体及び前記着脱部材が前記接合面で接合するように構成されている
請求項７に記載の据置型装置。
【請求項９】
前記マット本体を覆い、前記延出部から延出される前記ケーブルが通過可能な通過孔を有するカバーをさらに備える
請求項７又は８に記載の据置型装置。
【請求項１０】
前記通過孔のサイズは、前記着脱部材よりも大きい
請求項９に記載の据置型装置。